(57)【要約】【課題】表示状態が良好で表示用データを効率良く書き込むことを可能とするメモリ性表示媒体書込装置及びメモリ性表示媒体書込方法を提供する。【解決手段】外部装置より受信される表示用データを書込条件に応じて取り外し可能なメモリ性表示媒体に書き込みを行うメモリ性表示媒体書込装置において、メモリ性表示媒体の装着数を検知するための検知手段と、表示用データを保持するためのデータ保持手段と、書込条件を入力するための書込条件入力手段と、表示用データのデータ量と、書込条件と、単位メモリ性表示媒体の表示容量とに基づいて、表示用データの全てを書き込むためのメモリ性表示媒体の必要数を算出するための演算手段及び表示用データをメモリ性表示媒体の各媒体毎への書込用データに変換するためのデータ変換手段を含む制御手段と、書込用データを装着されているメモリ性表示媒体に書き込むための書込手段と、を含む。【選択図】図２
2007199467.tif 000002
【特許請求の範囲】
【請求項１】
外部装置より受信される表示用データを書込条件に応じて取り外し可能なメモリ性表示媒体に書き込みを行うメモリ性表示媒体書込装置において、
前記メモリ性表示媒体の装着数を検知するための検知手段と、
前記表示用データを保持するためのデータ保持手段と、
前記書込条件を入力するための書込条件入力手段と、
前記データ保持手段で保持される前記表示用データのデータ量と、前記書込条件と、前記メモリ性表示媒体の単位あたりの表示容量とに基づいて、前記表示用データの全てを書き込むための前記メモリ性表示媒体の必要数を算出するための演算手段、及び前記データ保持手段で保持される前記表示用データのデータ量と、前記書込条件と、前記メモリ性表示媒体の単位あたりの表示容量とに基づいて、前記表示用データを前記メモリ性表示媒体の各媒体毎への書込用データに変換するためのデータ変換手段を含む制御手段と、
前記制御手段により前記表示用データから変換された前記書込用データを装着されている前記メモリ性表示媒体に書き込むための書込手段と、を含むことを特徴とするメモリ性表示媒体書込装置。
【請求項２】
前記制御手段は、算出された前記メモリ性表示媒体の必要数と前記検知手段により検知された前記メモリ性表示媒体の装着数との比較を行い、
前記装着数が前記必要数より小さい場合、前記書込条件を変更して前記表示用データを前記表示用データの全てが装着されている前記メモリ性表示媒体に書き込み可能な書込用データに変換することを含むことを特徴とする請求項１に記載のメモリ性表示媒体書込装置。
【請求項３】
前記制御手段は、算出された前記メモリ性表示媒体の必要数と前記検知手段により検知された前記メモリ性表示媒体の装着数との比較を行い、
前記装着数が前記必要数より小さい場合、前記装着数が前記必要数より小さいことを報知する報知手段を有することを特徴とする請求項１又は２に記載のメモリ性表示媒体書込装置。
【請求項４】
前記表示用データは、前記表示用データが書き込まれた前記メモリ性表示媒体が取り外されるまでは前記データ保持手段に保持されることを特徴とする請求項１乃至３の何れか一項に記載のメモリ性表示媒体書込装置。
【請求項５】
前記表示用データは、前記表示用データの全てが前記メモリ性表示媒体に書き込まれる、又は予め決められた時間が経過する、いずれかの場合までは前記データ保持手段に保持されることを特徴とする請求項１乃至３の何れか一項に記載のメモリ性表示媒体書込装置。
【請求項６】
外部装置より受信される表示用データを書込条件に応じて取り外し可能なメモリ性表示媒体に書き込みを行うメモリ性表示媒体書込方法において、
前記メモリ性表示媒体の装着数を検知するための検知工程と、
前記書込条件を設定するための書込条件設定工程と、
前記表示用データを保持するためのデータ保持工程と、
前記データ保持工程で保持される前記表示用データのデータ量と、前記書込条件と、前記メモリ性表示媒体の単位あたりの表示容量とに基づいて、前記表示用データの全てを書き込むための前記メモリ性表示媒体の必要数を算出するための演算工程及び
前記データ保持工程で保持される前記表示用データのデータ量と、前記書込条件と、前記メモリ性表示媒体の単位あたりの表示容量とに基づいて、前記表示用データを前記メモリ性表示媒体の各媒体毎への書込用データに変換するためのデータ変換工程を含む制御工程と、
前記制御工程により前記表示用データから変換された前記書込用データを装着されている前記メモリ性表示媒体に書き込むための書込工程と、を含むことを特徴とするメモリ性表示媒体書込方法。
【請求項７】
前記制御工程は、算出された前記メモリ性表示媒体の必要数と前記検知工程で検知された前記メモリ性表示媒体の装着数との比較を行い、
前記装着数が前記必要数より小さい場合、前記書込条件を変更して前記表示用データを前記表示用データの全てが装着されている前記メモリ性表示媒体に書き込み可能な書込用データに変換することを含むことを特徴とする請求項６に記載のメモリ性表示媒体書込方法。
【請求項８】
前記制御工程は、算出された前記メモリ性表示媒体の必要数と前記検知工程で検知された前記メモリ性表示媒体の装着数との比較を行い、
前記装着数が前記必要数より小さい場合、前記装着数が前記必要数より小さいことを報知する報知工程を有することを特徴とする請求項６又は７に記載のメモリ性表示媒体書込方法。
【請求項９】
前記データ保持工程で保持される前記表示用データは、前記表示用データが書き込まれた前記メモリ性表示媒体が取り外されるまでは保持されることを特徴とする請求項６乃至８の何れか一項に記載のメモリ性表示媒体書込方法。
【請求項１０】
前記データ保持工程で保持される前記表示用データは、前記表示用データの全てが前記メモリ性表示媒体に書き込まれる、又は予め決められた時間が経過する、いずれかの場合までは保持されることを特徴とする請求項６又は８の何れか一項に記載のメモリ性表示媒体書込方法。
【発明の詳細な説明】
【技術分野】
【０００１】
本発明は、メモリ性表示媒体書込装置及びメモリ性表示媒体書込方法に関する。
【背景技術】
【０００２】
近年、情報表示媒体として、紙媒体や電子ディスプレイデバイスの他に、電子ディスプレイの長所と紙の長所を併せ持った電子ペーパーなどと呼ばれる新たな媒体が開発されている。電子ペーパーは、一般に表示素子自体がメモリ性を有しており、表示内容の書き換え時にはエネルギーを必要とするものの、表示内容を維持するためにはエネルギーを必要としない。また、反射型表示素子を用い、紙のような表示特性を有している。
【０００３】
複数の上記の様な電子ペーパーに、例えば複数の紙より構成されている書籍コンテンツを書き込み、紙からなる書籍と同様の形態や使い勝手を実現するものが知られているが、このような書換え可能な表示媒体に複数枚にわたって書き込みを行う書込装置において、複数枚同時に書き込みを行う際、表示するコンテンツのデータ量よりも表示媒体の枚数が少ない場合、全てのコンテンツを表示媒体に書き込むことができないためコンテンツの表示が途中で切れてしまう、という問題がある。また、書込装置のユーザーが表示媒体の枚数が不足していることに気づかずに書き込みが行われ、情報が必要な時に、コンテンツの表示が途中で切れているため必要な情報が得られないといった事態が発生することがある。
【０００４】
上記の問題を解決する方法として、表示用データを書き込むための複数の表示媒体の量を検知し、表示用データの量と表示媒体に書き込みできる量とを比較し、比較の結果、表示用データが表示媒体に書き込みできる量を超える場合、（１）書込を禁止する、（２）表示用データの指定された範囲を書き込む、（３）少なくとも超えた部分の表示データをサムネイル画像で書き込む、（４）表示用データを縮小して書き込む、の４つより選択可能としている方法がある（例えば、特許文献１参照）。
【特許文献１】特開２００４−２８６９５２号公報
【発明の開示】
【発明が解決しようとする課題】
【０００５】
しかしながら、特許文献１によれば、表示媒体の量の不足により書き込み内容が途切れてしまって、これに気づくことなく書き込みを終了してしまい、必要な時に必要な情報が得られないといったことは避けられるものの、選択された書き込みの仕方にて表示媒体に書き込まれた状態がユーザーにとって、例えば視認性が良くて分かりやすいといった使用可能な状態となっているかどうかは、書き込み終了後、書き込まれたデータを表示媒体上でユーザーが確認するまでは分からない。
【０００６】
特許文献１には、こうした表示用データが表示媒体に書き込まれた表示状態が、例えば視認性が十分でないといったユーザーが望まない表示状態となってしまった場合に関する記述はされていない。
【０００７】
本発明は、上記の問題を鑑みてなされたものであって、その目的とするところは、表示状態が良好で表示用データを効率良く書き込むことを可能とするメモリ性表示媒体書込装置及びメモリ性表示媒体書込方法を提供することである。
【課題を解決するための手段】
【０００８】
上記の課題は、以下の構成により解決される。
【０００９】
１．  外部装置より受信される表示用データを書込条件に応じて取り外し可能なメモリ性表示媒体に書き込みを行うメモリ性表示媒体書込装置において、
前記メモリ性表示媒体の装着数を検知するための検知手段と、
前記表示用データを保持するためのデータ保持手段と、
前記書込条件を入力するための書込条件入力手段と、
前記データ保持手段で保持される前記表示用データのデータ量と、前記書込条件と、前記メモリ性表示媒体の単位あたりの表示容量とに基づいて、前記表示用データの全てを書き込むための前記メモリ性表示媒体の必要数を算出するための演算手段、及び前記データ保持手段で保持される前記表示用データのデータ量と、前記書込条件と、前記メモリ性表示媒体の単位あたりの表示容量とに基づいて、前記表示用データを前記メモリ性表示媒体の各媒体毎への書込用データに変換するためのデータ変換手段を含む制御手段と、
前記制御手段により前記表示用データから変換された前記書込用データを装着されている前記メモリ性表示媒体に書き込むための書込手段と、を含むことを特徴とするメモリ性表示媒体書込装置。
【００１０】
２．  前記制御手段は、算出された前記メモリ性表示媒体の必要数と前記検知手段により検知された前記メモリ性表示媒体の装着数との比較を行い、
前記装着数が前記必要数より小さい場合、前記書込条件を変更して前記表示用データを前記表示用データの全てが装着されている前記メモリ性表示媒体に書き込み可能な書込用データに変換することを含むことを特徴とする１に記載のメモリ性表示媒体書込装置。
【００１１】
３．  前記制御手段は、算出された前記メモリ性表示媒体の必要数と前記検知手段により検知された前記メモリ性表示媒体の装着数との比較を行い、
前記装着数が前記必要数より小さい場合、前記装着数が前記必要数より小さいことを報知する報知手段を有することを特徴とする１又は２に記載のメモリ性表示媒体書込装置。
【００１２】
４．  前記表示用データは、前記表示用データが書き込まれた前記メモリ性表示媒体が取り外されるまでは前記データ保持手段に保持されることを特徴とする１乃至３の何れか一つに記載のメモリ性表示媒体書込装置。
【００１３】
５．  前記表示用データは、前記表示用データの全てが前記メモリ性表示媒体に書き込まれる、又は予め決められた時間が経過する、いずれかの場合までは前記データ保持手段に保持されることを特徴とする１乃至３の何れか一つに記載のメモリ性表示媒体書込装置。
【００１４】
６．  外部装置より受信される表示用データを書込条件に応じて取り外し可能なメモリ性表示媒体に書き込みを行うメモリ性表示媒体書込方法において、
前記メモリ性表示媒体の装着数を検知するための検知工程と、
前記書込条件を設定するための書込条件設定工程と、
前記表示用データを保持するためのデータ保持工程と、
前記データ保持工程で保持される前記表示用データのデータ量と、前記書込条件と、前記メモリ性表示媒体の単位あたりの表示容量とに基づいて、前記表示用データの全てを書き込むための前記メモリ性表示媒体の必要数を算出するための演算工程及び
前記データ保持工程で保持される前記表示用データのデータ量と、前記書込条件と、前記メモリ性表示媒体の単位あたりの表示容量とに基づいて、前記表示用データを前記メモリ性表示媒体の各媒体毎への書込用データに変換するためのデータ変換工程を含む制御工程と、
前記制御工程により前記表示用データから変換された前記書込用データを装着されている前記メモリ性表示媒体に書き込むための書込工程と、を含むことを特徴とするメモリ性表示媒体書込方法。
【００１５】
７．  前記制御工程は、算出された前記メモリ性表示媒体の必要数と前記検知工程で検知された前記メモリ性表示媒体の装着数との比較を行い、
前記装着数が前記必要数より小さい場合、前記書込条件を変更して前記表示用データを前記表示用データの全てが装着されている前記メモリ性表示媒体に書き込み可能な書込用データに変換することを含むことを特徴とする６に記載のメモリ性表示媒体書込方法。
【００１６】
８．  前記制御工程は、算出された前記メモリ性表示媒体の必要数と前記検知工程で検知された前記メモリ性表示媒体の装着数との比較を行い、
前記装着数が前記必要数より小さい場合、前記装着数が前記必要数より小さいことを報知する報知工程を有することを特徴とする６又は７に記載のメモリ性表示媒体書込方法。
【００１７】
９．  前記データ保持工程で保持される前記表示用データは、前記表示用データが書き込まれた前記メモリ性表示媒体が取り外されるまでは保持されることを特徴とする６乃至８の何れか一つに記載のメモリ性表示媒体書込方法。
【００１８】
１０．  前記データ保持工程で保持される前記表示用データは、前記表示用データの全てが前記メモリ性表示媒体に書き込まれる、又は予め決められた時間が経過する、いずれかの場合までは保持されることを特徴とする６又は８の何れか一つに記載のメモリ性表示媒体書込方法。
【発明の効果】
【００１９】
請求項１に記載の発明によれば、メモリ性表示媒体書込装置は、表示用データのデータ量と、メモリ性表示媒体への書込条件と、メモリ性表示媒体の単位あたりの表示容量とに基づいて、データ保持手段に保持されているため繰り返し使用することができる表示用データをメモリ性表示媒体への書込用データに変換し、この書込用データを書込手段でもってメモリ性表示媒体に書き込むことができ、またメモリ性表示媒体の書込条件は書込条件入力手段により入力されることを可能としている。
【００２０】
よって、メモリ性表示媒体書込装置は、ユーザーが望ましいとする表示用データが書き込まれたメモリ性表示媒体が得られるまで、変更され入力される書込条件に基づいて、保持されている表示用データを繰り返し使用して、この表示用データを書込用データに変換し、この変換された書込用データをメモリ性表示媒体に繰り返し書き込むことができるため、ユーザーが望ましいとする表示状態、例えば視認性が良いといった状態となる書込用データをメモリ性表示媒体に確実に書き込むことができる。
【００２１】
更に、メモリ性表示媒体書込装置は、装着されているメモリ性表示媒体の装着数を検知することができ、また表示用データのデータ量と、メモリ性表示媒体への書込条件と、メモリ性表示媒体の単位あたりの表示容量とに基づいて、表示用データの全てを書き込むためのメモリ性表示媒体の必要数を算出することを可能としている。
【００２２】
よって、メモリ性表示媒体書込装置は、書込条件を変えることで、表示用データの全てを書き込むためのメモリ性表示媒体の必要数を変更して、メモリ性表示媒体の装着数と同じとすることができ、表示用データの全てを装着されているメモリ性表示媒体に書き込むことができる。
【００２３】
また、表示用データの全てを書き込むためのメモリ性表示媒体の必要数とメモリ性表示媒体の装着数とを比較することで装着数が表示用データの全てを書き込むために足りているかどうかを判断することを可能とすることができ、例えば、メモリ性表示媒体が不足している場合、不足であることをユーザーに知らせ、メモリ性表示媒体の補充を促したり、また補充されたメモリ性表示媒体に当初装着されていたメモリ性表示媒体に書き込まれた書込用データに継続する書込用データの書き込みを行う制御を可能とすることができる。
【００２４】
従って、表示状態が良好で表示用データを効率良く書き込むことを可能とするメモリ性表示媒体書込装置を提供することができる。
【００２５】
請求項７に記載の発明によれば、メモリ性表示媒体書込方法は、表示用データのデータ量と、メモリ性表示媒体への書込条件と、メモリ性表示媒体の単位あたりの表示容量とに基づいて、データ保持工程にて保持されているため繰り返し使用することができる表示用データをメモリ性表示媒体への書込用データに変換し、この書込用データを書込工程でもってメモリ性表示媒体に書き込むことができ、またメモリ性表示媒体の書込条件は書込条件入力工程により入力されることを可能としている。
【００２６】
よって、メモリ性表示媒体書込方法は、ユーザーが望ましいとする表示用データが書き込まれたメモリ性表示媒体が得られるまで、変更され入力される書込条件に基づいて、保持されている表示用データを繰り返し使用して、この表示用データを書込用データに変換し、この変換された書込用データをメモリ性表示媒体に繰り返し書き込むことができるため、ユーザーが望ましいとする表示状態、例えば視認性が良いといった状態となる書込用データをメモリ性表示媒体に確実に書き込むことができる。
【００２７】
更に、メモリ性表示媒体書込方法は、装着されているメモリ性表示媒体の装着数を検知することができ、また表示用データのデータ量と、メモリ性表示媒体への書込条件と、メモリ性表示媒体の単位あたりの表示容量とに基づいて、表示用データの全てを書き込むためのメモリ性表示媒体の必要数を算出することを可能としている。
【００２８】
よって、メモリ性表示媒体書込方法は、書込条件を変えることで、表示用データの全てを書き込むためのメモリ性表示媒体の必要数を変更して、メモリ性表示媒体の装着数と同じとすることができ、表示用データの全てを装着されているメモリ性表示媒体に書き込むことができる。
【００２９】
また、表示用データの全てを書き込むためのメモリ性表示媒体の必要数とメモリ性表示媒体の装着数とを比較することで装着数が表示用データの全てを書き込むために足りているかどうかを判断することを可能とすることができ、例えば、メモリ性表示媒体が不足している場合、不足であることをユーザーに知らせ、メモリ性表示媒体の補充を促したり、また補充されたメモリ性表示媒体に当初装着されていたメモリ性表示媒体に書き込まれた書込用データに継続する書込用データの書き込みを行う制御を可能とすることができる。
【００３０】
従って、表示状態が良好で表示用データを効率良く書き込むことを可能とするメモリ性表示媒体書込方法を提供することができる。
【発明を実施するための最良の形態】
【００３１】
本発明の実施の形態として、メモリ性表示媒体（以下、表示媒体と称する。）であるマトリクス駆動で電圧を印加することにより電気的に書き込みを行うことが出来る電子ペーパーへの書き込みを行うメモリ性表示媒体書込装置（以下、書込装置と称する。）及びパーソナルコンピュータ（以下、ＰＣと称する。）を有する書込システムを例にして以下に説明する。
【００３２】
図７は、書込システムの構成を示す。図７（ａ）に示す書込システムＡにおいて、ＰＣ１は、電子ペーパー５に書き込む表示用データの入力、編集、表示、蓄積及び書込装置３への表示用データの送信等を行うことができ、書込装置３は、ＰＣ１に接続され、ＰＣ１から送信される表示用データの受信を行い、受信された表示用データを所望の表示状態になるような書込用データに変換し、この書込用データでもって電子ペーパー５に書き込みを行うことができる。
【００３３】
表示用データが書込装置３により電子ペーパー５に書き込まれる場合、表示用データは電子ペーパー５の１ページに表示されるデータ量毎に書込用データ、例えばビットマップ形式のデータに変換される。この書込用データが電子ペーパー５に書き込まれ、その表示状態は視認性が良いことが好ましい。
【００３４】
ここで、電子ペーパー５が有する表示容量内で漢字が容易に読むことができる程度の十分な視認性を有する電子ペーパー５の書込条件を単ページ表示または単ページと称し、この場合の表示用データのデータ量をページデータ量と称することとする。
【００３５】
このページデータ量の表示用データを書込用データに変換する際にデータ圧縮、例えば１／２に圧縮することで、表示状態は電子ペーパー２ページ分の内容が電子ペーパー５の１ページに表示される（２ｉｎ１と称する。）ものとすることができる。この２ｉｎ１の書込条件の場合、漢字が容易ではないが判読できる程度であれば実用可能となる。また、文字個々は判読できなくてもよいが、文字や図の配置状態が確認できることが必要な場合は、１／４圧縮（４ｉｎ１と称する。）としても実用可能となる場合がある。更に、各ページの違いが分かる程度が必要であれば更に圧縮して、例えばサムネイルとしても実用可能となる場合がある。こうした例の様に、書込条件は必要に応じて適宜設定すれば良い。
【００３６】
図６は、書込装置６Ａに装着された１枚の電子ペーパー６−２に表示用データが書き込まれた書込条件の例を示している。図６（ａ）は、表示用データの電子ペーパーの１ページ分が書き込まれた状態（単ページ）、図６（ｂ）は、表示用データの電子ペーパー２ページ分が割り付けられて書き込まれた状態（２ｉｎ１）、図３（ｃ）は、表示用データの電子ペーパー４ページ分が割り付けられて書き込まれた状態（４ｉｎ１）、図３（ｄ）は、表示用データの電子ペーパー４ページ分をサムネイルとして書き込まれた状態を示している。
【００３７】
尚、上記の例では割付数を２（２ｉｎ１）及び４（４ｉｎ１）としているが、これに限定されず、２以上（Ｎｉｎ１、Ｎ＝２，３，４・・・・）とすることができる。
【００３８】
また、図７（ａ）の書込装置３には、複数の電子ペーパー５が、何れの電子ペーパー５にも書き込みが可能な状態で複数装着されている。図７（ｂ）は、図７（ａ）で示す状態より書き込まれた電子ペーパー５が書込装置３から取り外され、書込装置３には電子ペーパー５の装着数が１となっている様子を示している。
【００３９】
図示されない取り外された電子ペーパー５は、メモリ性を有しているため、電力の供給が無い状態でも、書き込まれた内容は維持され、必要時に常時見ることが可能である。メモリ性の電子ペーパーとしては、例えば帯電した粒子を移動させて表示を行う方式である電気泳動表示デバイスやコレステリック相を示す液晶を利用する、例えば、それ自体がコレステリック相を示すコレステリック液晶や、ネマティック液晶にカイラル材料を添加したカイラルネマティック液晶等が挙げられるが、書込装置３に装着される電子ペーパーはこれらに限定されない。
【００４０】
図８は図７に示す書込システムＡの構成をブロック図で示している。１はＰＣ、３は書込装置、５は電子ペーパーを示しており、図１で示す符号と同じものを示している。図８の書込システムＡは、図７と同様に表示媒体である電子ペーパー５が装着されている書込装置３と書込装置３に接続されているＰＣ１とで構成されている。ここで、装着されている電子ペーパーは、便宜上１ページとしている。
【００４１】
ＰＣ１は、パーソナルコンピュータのようなもので、書込装置３の制御を行うための制御ソフトウェアを含み、図示しないＣＰＵ、ＲＯＭ、ＲＡＭ等を備えた処理部１２と、電子ペーパー５の表示用データ等の情報を書込装置３に送信するための通信部１４と、処理部１２の操作入力や表示用データを作成するための操作入力をするための入力部１８と、入力部１８より入力された情報やＰＣ１の状態等を表示するための表示部１６を有し、通信部１４は書込装置３に、例えばＬＡＮ等の通信線で接続されている。
【００４２】
書込装置３は、ＰＣ１からの表示用データ等の情報の受信を行うための通信部３１と、受信された表示用データや後述の制御部３５で取り扱うデータ等を保持しておくための記憶部３２、電子ペーパー５の装着数を検知するための検知部３３、書込装置３のユーザーが、例えば電子ペーパー５での書込条件を書込装置３に直接入力して設定するための操作入力部３６と、例えば操作入力部３６からの入力に基づいて表示用データを電子ペーパー５に書き込まれる書込用データに変換したり、上記の通信部３１、記憶部３２、操作入力部３６、検知部３３及び後述の書込部３４の制御をするための制御部３５と、書き込み用データを受けて電子ペーパー５への書き込みを行う書込部３４とから構成される。尚、検知部３３，書込部３４は、装着可能な電子ペーパー５の数だけ設けても良いし、電子ペーパー５とこれら検知部３３及び書込部３４との間に切替スイッチを設けることで、複数の電子ペーパー５の検知及び書き込みを一つの検知部３３と一つの書込部３４とで行う構成としても良い。
【００４３】
電子ペーパー５は、書込装置３より書き込まれたデータを表示するためのカイラルネマティック液晶等の表示デバイスにより構成される表示部５２と、電子ペーパー５の存在を書込装置３の検知部３３が検知し電子ペーパー５の装着数を書込装置３が得るために設けられる識別部５１とを有している。
【００４４】
ここで、書込装置３が電子ペーパー５の装着数を検知する具体的な方法の例を図３，図４、図５に示して説明する。尚、図３，図４、図５においては、表示用データを書き込むための電気的接続が行われるコネクタは図示してない。
【００４５】
図３（ａ）は、書込装置３Ａに電子ペーパー３−１から３−５が重ねられた状態で装着されている状態を断面図で模式的に示している。ここで、電子ペーパー３−１を例にすると、電子ペーパー３−１は、その上面に接点３−１ａと、下面に接点３−１ｃと、電子ペーパー３−１の内部に接点３−１ａ及び３−１ｃに接続されている抵抗３−１ｂとを有している。書込装置３Ａに重ねて格納されている他の電子ペーパー３−２から３−５も電子ペーパー３−１と同じように上面及び下面の接点と、これらの接点間の抵抗とを有している。ここで電子ペーパーに内蔵されている上記の抵抗（例えば抵抗３−１ｂ）は全て同じ値としている。また、図３（ｂ）は、１枚の電子ペーパー３−５が書込装置３に装着されている様子を示している。
【００４６】
よって、電子ペーパーを挟む様に設けられた上部電極３１０と下部電極３２０との間の抵抗値を検知することにより、書込装置３Ａは、装着されている電子ペーパーの数を正確に検知することが可能となる。
【００４７】
また、図４（ａ）は、書込装置４Ａに電子ペーパー４−１から４−５が重ねられた状態で装着されている状態を断面図で模式的に示している。図４（ｂ）は、最上部の電子ペーパー４−１を検知部分を含めて上から見た図を示している。ここで、電子ペーパー４−１を例にすると、図４（ｂ）に示すように、電子ペーパー４−１の書込装置４Ａに装着される側の端面に導通板４−１ａを設ける。これに対向する書込装置４Ａ側の面には左記の導通板４−１ａの両端に接触するように検出電極４−１ｂ及び検出電極４−１ｃを設ける。この検出電極４−１ｂ及び検出電極４−１ｃは、１枚の電子ペーパーのみに接触するように設けられている。書込装置４Ａには、検出電極４−１ｂ及び４−１ｃのような検出電極が、それぞれ絶縁された状態で独立して電子ペーパーの装着可能数分だけ設けられており、書込装置４Ａは、検出電極間、例えば４−１ｂと４−１ｃとの間の電気的導通を検知することにより装着されている電子ペーパーの数を正確に検知することが可能となる。また、導通板、例えば４−１ａは、電子ペーパーの有無が確認できれば良いことから、抵抗体としても良く、またその抵抗値は、それぞれ異なっていても良い。
【００４８】
また、図５（ａ）は、書込装置５Ａに電子ペーパー５−１から５−５が重ねられた状態で装着されている状態を断面図で模式的に示している。図５（ｂ）は、最上部の電子ペーパー５−１を検知部分を含めて上から見た図を示している。ここで、電子ペーパー５−１を例にすると、図５（ｂ）に示すように電子ペーパー５−１の書込装置５Ａに装着される側の端面に反射板５−１ａを持たせ、書込装置５Ａ側に発光素子５−１ｃと受光素子５−１ｂとを設け、発光素子５−１ｃから発光される光を電子ペーパー５−１の反射板５−１ａにより反射させ、受光素子５−１ｂでこの反射光を検知するか否かにより電子ペーパー５−１の有無を検知することで、書込装置５Ａは、装着されている電子ペーパーの数を正確に検知することが可能となる。
【００４９】
上記で説明した電子ペーパーの検知方法により、書込装置に装着されている電子ペーパーの数を正確に検知することが可能となるが、電子ペーパーの検知のための方法は、上記以外にも例えばプッシュ・オン型マイクロスイッチや静電容量による近接スイッチを用いる方法が挙げられ、上記の方法に限定されるものではない。
【００５０】
図１は、書込装置３に装着された電子ペーパー５に表示用データが書き込まれる際のフローチャートを示す。ステップ１００で、書込装置３は、ＰＣ１から電子ペーパー５へ書き込むための表示用データを受信する。ステップ１０２で、受信された表示用データを記憶部３２に格納することで保持する。表示用データは、少なくともその内容が電子ペーパー５に書き込まれて、書き込まれた電子ペーパー５が書込装置３から取り外されるまで、又は全ての表示用データが電子ペーパー５に書き込まれるまで若しくは予め設定した時間が経過するまでは保持されるのが好ましい。この様に表示用データが記憶部３２保持されることで、後述するユーザー編集１１８における書き込まれた電子ペーパー５の表示状態が良好とされるまで表示用データを電子ペーパー５に容易に繰り返し書き込むことが可能となる。
【００５１】
ステップ１０４で、電子ペーパー５の装着数を確認する。装着数の確認の結果、電子ペーパー５が装着されていない場合は、ステップ１０６で装着依頼を行い書き込み終了する。電子ペーパー５の装着依頼が行われる際には、音、表示等によりユーザーへ速やかな装着を促す報知手段を書込装置３に設けるのが好ましい。電子ペーパー５が装着されている場合は、ステップ１０８で、表示用データのデータ量と、設定されている書込条件と、電子ペーパー５の１ページあたりの表示容量とに基づいて、表示用データの全てを電子ペーパー５に書き込むために必要とされる電子ペーパー５の必要数を算出し、ステップ１０４で得ている電子ペーパー５の装着数と比較をする。
【００５２】
比較の結果、電子ペーパー５の装着数が必要数と等しい或いは装着数の方が多い場合は、ステップ１１２で書込装置３に設定されている書込条件に応じて表示用データより書込用データに変換されて表示用データが電子ペーパー５に書き込まれる。
【００５３】
ステップ１０８で電子ペーパー５の装着数が不足している場合は、ステップ１１０の自動編集により、装着数の電子ペーパー５に表示用データの全てが書き込まれることができるように書込条件を変更して書込用データに変換され、この書込用データでもってステップ１１２で表示用データの全てが電子ペーパー５に書き込まれる。
【００５４】
ここで行われる自動編集は、電子ペーパー５の装着数と、設定されている書込条件と、電子ペーパー５の表示容量と、表示用データのデータ量とから、単ページ、２ｉｎ１等の割付処理、サムネイル処理等を行うことで全ての表示用データを電子ペーパー５に書き込むことを可能とする。
【００５５】
例えば、具体的には次の通りである。自動編集の書込条件を、電子ペーパー５の２ページ分の表示用データを電子ペーパー５の１ページに書き込む割付処理（２ｉｎ１）と、電子ペーパー５の残りが１ページになった際は、まだ書き込まれていない残り全ての表示用データのデータ量が電子ペーパー５の４ページ分までであれば割付処理（４ｉｎ１）とし、それ以上の場合はサムネイルとして書き込むサムネイル処理とされ、電子ペーパーの装着数が３（ページ）とする場合、次の様になる。
【００５６】
表示用データのデータ量が電子ペーパー５の８ページ分のページデータ量の場合、電子ペーパー５の１ページ目及び２ページ目に書込条件を２ｉｎ１として自動編集され最初の４ページ分が書き込まれ、残りの４ページ分は４ｉｎ１として自動編集され電子ペーパー５の３ページ目に４ページ分が書き込まれ、全表示用データが電子ペーパー５の３ページに書き込まれる。
【００５７】
また、表示用データのデータ量が電子ペーパー５の９ページ分のページデータ量の場合、２ページの電子ペーパーには２ｉｎ１として自動編集が行われて４ページ分が書き込まれ、最後の電子ペーパー１枚には、サムネイル処理による自動編集が行われて５ページ分が書き込まれ、全表示用データが電子ペーパー３枚に書き込まれる。
【００５８】
このような自動編集時の書込条件の設定は、例えばデフォルト設定として図示しない不揮発性の記憶部に保持にしておき、書込装置３が起動された時に読み出して設定し、変更したい場合はユーザーが希望する書込条件を操作キー等で書込装置３に入力する、又はユーザーがＰＣ１にて行う書込装置３への表示用データ送信時に表示用データのヘッダー情報として記入しておき、書込装置３がこのヘッダー情報より読み取ることで書込条件を設定できるようにすることができる。
【００５９】
ステップ１１４で、ユーザーは、表示用データが書き込まれた電子ペーパー５の表示状態を見て良好と判断すれば、ステップ１１６で書込装置３から電子ペーパー５を取り出して書込終了とする。一方、ステップ１１４で、ユーザーが電子ペーパー５の表示状態の視認性が良くない等で満足しないと判断する場合は、ステップ１１８のユーザー編集で、ユーザーが書込装置３が備える、例えば書込装置３の操作を入力出来る操作入力キーや液晶等による書込装置３の状態を表示する画面表示などのユーザーインターフェースを用いて、書込条件の変更操作、及び変更した書込条件に基づいた表示用データの電子ペーパー５への書込操作を行うことができる。このステップ１１８のユーザー編集の結果、ユーザーは満足する表示状態となった電子ペーパー５を得た後、電子ペーパー５への書き込みを終了する。
【００６０】
このステップ１１８のユーザー編集に関して、以降で詳細に説明する。尚、ステップ１０６の装着依頼の後、電子ペーパー５の装着数を確認するステップ１０４に戻る又は電子ペーパー５の補充を待ってステップ１０８に進むようにしても良い。
【００６１】
図２は、図１に示すステップ１１８のユーザー編集におけるフローチャートを示している。図１のステップ１１４でユーザーが電子ペーパーの表示状態に満足しないと判断してステップ１１８のユーザー編集に進むと、ステップ２００で書込条件の選択を行う。ステップ２０２のサムネイル編集を選択した場合は、例えば表示用データをページデータ量に基づいて電子ペーパー５の単ページに換算し、その換算されたページによりサムネイル表示するページ範囲を指定してサムネイル処理を行うことができる。ステップ２０４の割付編集を選択した場合は、例えば表示用データをページデータ量により電子ペーパー５の単ページに換算し、その換算されたページにより割付表示されるページ範囲を指定して割付処理（Ｎｉｎ１、Ｎ＝２，３、・・・）を行うことができる。ステップ２０６の単ページ編集を選択した場合は、書込用データをページデータ量毎に電子ペーパー５の１ページに書き込みを行うことができる。
【００６２】
ステップ２０８で、上記の選択された書込条件に基づいて、電子ペーパー５への書き込みが行われる。書き込み完了後、ステップ２１０で、ユーザーは書き込まれた電子ペーパーの表示状態を見て良好かどうかを確認する。例えば、書込装置３の書込条件入力手段である操作入力部３６に備えてあるキーを操作して、書き込まれた電子ペーパー５の表示状態を順次最上段の電子ペーパー５に表示させるページ送り機能を書込装置３に持たせることで、書き込まれた全ての電子ペーパー５の表示状態を見ることを可能とすることができる。この表示状態の確認の結果、好ましい状態であると判断される場合は、例えば「ＯＫ」キーを押すことで次のステップ２１２で電子ペーパー５の取り出しが行われ、好ましい状態でないと判断される場合は、例えば「設定」キーを押してステップ２００に戻って書込条件の選択の見直しから再開する。
【００６３】
ステップ２１２で電子ペーパー５が取り出された場合、ステップ２１４で記憶部３２に格納されている表示用データから電子ペーパー５に書き込んで取り出された表示用データ該当分の削除が行われる。この削除により記憶部３２に空きができるため、次に書き込む表示用データが受信可能となり効率良く書き込みができることになる。この場合、新たな表示用データであることを識別するための表示用データに識別用データを持たせておくのが好ましい。
【００６４】
次に、ステップ２１６で、記憶部３２の表示用データに残りがあるかを判別して、まだ書き込みがなされてない表示用データが存在しない場合は、ユーザー編集（ステップ１１８）を終了し、表示用データが存在している場合は、ステップ２１８で、電子ペーパー５の装着数を確認し、電子ペーパー５が存在していれば、ステップ２００に戻り、存在しなければステップ２２０で電子ペーパー５の装着依頼が行われる。電子ペーパー５の装着依頼が行われる際には、音、表示等によりユーザーへの注意を促す報知手段を書込装置３に設けるのが好ましい。
【００６５】
ステップ２２２で書込装置３に電子ペーパー５が装着されたことが確認できたら、ステップ２００に戻り、書込条件の選択からユーザー編集が再開される。
【００６６】
図２で示し、上記で説明したステップ２００から開始される一連のフローを表示用データが存在しなくなるまで繰り返すことで電子ペーパー５に対して全表示用データが視認性の良い良好な表示状態となるように書き込みが行われる。また、図示していないステップとして、ステップ２２２で電子ペーパーの装着待ちをしている状態で、予め決められた時間が経過した場合、記憶部３２に格納されている表示用データを全て削除して、新たな表示用データを受信できるようにすることで、必要以上に書込装置を待機させることがなくなるため効率よく電子ペーパーに表示用データを書き込むことが可能となるので好ましい。表示用データを全て削除する際には、音、表示等によりユーザーへの注意を促す報知手段と削除して良いことをユーザーが確認したことを入力するための、例えばＯＫのキーを押す等の入力手段を書込装置３に設けるのが好ましい。
【００６７】
ここまでの説明で、例えばステップ１０４、ステップ１０８、ステップ２１８において電子ペーパーの装着数とし、装着されている電子ペーパーは全て空き状態の書込可能とし、書き込まれた電子ペーパーは取り外すとしているが、これらステップ１０４、ステップ１０８、ステップ２１８における電子ペーパーの装着数を、装着されている電子ペーパーの内で書込可能な電子ペーパーの残数に置き換え、またステップ１０６、ステップ２２０の電子ペーパーの装着依頼とするところを、書込済電子ペーパーのデータ消去依頼を含めることができる。装着されている電子ペーパーの内、書込可否の判断は、例えば書込装置３に装着されている電子ペーパーの履歴を保存する、又は電子ペーパーに設けられている書込可否の信号があればこれを用いて可能とすることができる。
【００６８】
尚、上記の電子ペーパーの残数に置き換える場合、電子ペーパーの表示状態をユーザーが見て確認できるようにするために、例えば電子ペーパーが積層状態に装着されている場合は、最上部の電子ペーパーを常に書込可能とする。
【００６９】
図９は、書込装置９−１に電子ペーパー９−３の１ページが装着され、電子ペーパー４ページ分の表示用データを書き込む様子を示しており、これに関して図１及び図２のフローチャートに沿って説明する。
【００７０】
書込装置９−１は、図示しないＰＣより表示用データを受信（ステップ１００）し、書込装置９−１が有している図示しない記憶部へ表示用データを格納する（ステップ１０２）。書込装置９−１に装着されている電子ペーパー９−３は１ページであることが確認され（ステップ１０４）、表示用データは電子ペーパー９−３の４ページ分である（ステップ１０８）ことから自動編集を行う（ステップ１１０）。
【００７１】
自動編集を行うために予め設定されている書込条件は、４ｉｎ１割付とされているため、これに基づいて表示用データより書込用データに変換されて電子ペーパー９−３の１ページに４ページ分の表示用データの書き込みが行われる（図９（ａ）、ステップ１１２）。ここで書き込まれた電子ペーパー９−３を見たところ視認性が良くないことが確認されたので（ステップ１１４）、ユーザー編集を行う（ステップ１１８）。
【００７２】
ユーザー編集では、書込条件をもう少し視認性が良くなるようにするため割付を４ｉｎ１から２ｉｎ１に変更する（ステップ２００、ステップ２０４）。書込条件を２ｉｎ１として電子ペーパー９−３に書き込み（図９（ｂ）、ステップ２０８）を行ってその表示状態を見たところ（ステップ２１０）良好であったので書き込みを行った電子ペーパー９−３を書込装置９−１から取り出す（ステップ２１２）。
【００７３】
電子ペーパー９−３に書き込んだ部分に該当する表示用データの削除を行った（ステップ２１４）後、図示しない記憶部の表示用データがまだ存在している（ステップ２１６）ため、電子ペーパー９−３の装着数を確認したところ（ステップ２１８）、電子ペーパー９−３がなかったため電子ペーパー９−３ａの装着依頼（ステップ２２０）を行い装着待ち（ステップ２２２）となる。
【００７４】
電子ペーパー９−３ａが装着されたことが確認されると（図９（ｃ））、再度書込条件を２ｉｎ１として（ステップ２００）、追加された電子ペーパー９−３ａへの表示用データの書き込み（図９（ｄ））を行いその表示状態が良好であるとし、電子ペーパー９−３ａの取り出し、書き込んだ表示用データの削除までの一連の作業を行う（ステップ２０４、２０８、２１０、２１２、２１４）。ここで、図示しない記憶部に表示用データがないことから書き込みが終了する（ステップ２１６）。
【００７５】
図１０は、書込装置が有するユーザーインターフェースの例を示している。この書込装置１０−１が有するユーザーインターフェース１０−３は、書込装置１０−１を操作する入力を可能とするための操作入力部と書込装置１０−１の状態の視認を可能とすることができる表示部とが一体構成となっているタッチパネル方式の操作入力部及び表示部（以後、操作・表示部と称する。）を示している。この例では入力部と表示部とを一体構成としているが、キー入力による操作部と、液晶パネル等の表示部としてそれぞれ独立させて設けても良い。
【００７６】
図１０（ａ）は、自動編集の設定又はユーザー編集の設定のいずれかの選択を促す表示を示している。自動編集を選択した場合は、自動編集の選択以降で設定する内容をデフォルト設定として記憶させても良い。
【００７７】
図１０（ｂ）は、自動編集又はユーザー編集のいずれかを選択した後、書込条件をサムネイル、割付、単ページのいずれか選択を促す表示を示している。
【００７８】
図１０（ｃ）は、書込条件を選択後、その書込条件を適用する電子ペーパーのページ範囲を指定する入力を促す画面を示している。図１０（ｂ）、図１０（ｃ）による設定入力を繰り返すことで、例えば電子ペーパー１０−５の１ページ毎の書込条件を設定することができる。
【００７９】
上記のユーザーインターフェース及び図１０は、書込装置１０−１が備えているユーザーインターフェースの例の一部であって、これらに限定されるものではない。また、タッチパネル方式の表示部にソフトキーを設ける構成とすることで、必要であれば入力画面の追加や、選択後に更に細かい設定を促す入力画面を設ける等が容易に行うことができる。
【００８０】
また、上記の書込装置のユーザーインターフェースを図８に示す通信部１４及び３１を介して書込システムＡが有するＰＣ１における表示部１６及び入力部１８等を利用することを可能とすることもでき、例えば、書込条件の設定や電子ペーパーが不足している場合の装着の促しの報知等をＰＣ１において行うようにすることができる。この場合、設定や報知を書込装置３、ＰＣ１の何れか一方又は両方で行うことができるようにすることができる。
【図面の簡単な説明】
【００８１】
【図１】書込装置に装着された電子ペーパーに表示用データが書き込まれる際のフローチャート一例を示す。
【図２】図１に示すステップ１１８のユーザー編集におけるフローチャートの一例を示す。
【図３】電子ペーパーの残量を検知する方法の一例を示す図である。
【図４】電子ペーパーの残量を検知する方法の一例を示す図である。
【図５】電子ペーパーの残量を検知する方法の一例を示す図である。
【図６】書込装置による電子ペーパーへの書き込み例を説明する図である。
【図７】書込装置を備えた書込システムの一例の構成を示す図である。
【図８】図７に示す書込システムのブロック図である。
【図９】書込装置において、表示用データが電子ペーパーに書き込まれる一例の様子を説明する図である。
【図１０】書込装置に備わるユーザーインターフェースの一例の操作・表示部を説明する図である。
【符号の説明】
【００８２】
Ａ  書込システム
１  ＰＣ
３  書込装置
５  電子ペーパー
１２  処理部
１４  通信部
１８  入力部
１６  表示部
３１  通信部
３２  記憶部
３３  検知部
３４  書込部
３５  制御部
３６  操作入力部
５１  識別部
５２  表示部
【図１】
2007199467.tif 000003
【図２】
2007199467.tif 000004
【図３】
2007199467.tif 000005
【図４】
2007199467.tif 000006
【図５】
2007199467.tif 000007
【図６】
2007199467.tif 000008
【図７】
2007199467.tif 000009
【図８】
2007199467.tif 000010
【図９】
2007199467.tif 000011
【図１０】
2007199467.tif 000012